(57)【要約】  【課題】動作ロッドを持たず、それに伴って機械的シールを持たない、シリンダ内で摺動自在である簡易ピストンを提供するという問題を克服することである。  【解決手段】簡易ピストン（１４）は、シリンダ（１６）に沿って移動する外部磁性要素（２０）への磁気結合によって移動される、シリンダ（１６）内で摺動自在である。外部磁性要素（２０）はシリンダ（１６）の外側で移動されるリングであり、シリンダ（１６）は非磁性材料から製造されている。【選択図】      図１
2004162713.tif 000002
【特許請求の範囲】
【請求項１】
シリンダ（１６）内で摺動自在である簡易ピストン（１４）において、前記ピストン（１４）は、前記シリンダ（１６）に沿って移動する外部磁性要素（２０）への磁気結合により移動されることを特徴とするピストン。
【請求項２】
前記外部磁性要素（２０）は前記シリンダ（１６）の外側で移動されるリングであることを特徴とする請求項１記載のピストン（１４）。
【請求項３】
前記シリンダ（１６）は非磁性材料から製造されていることを特徴とする請求項１記載のピストン（１４）。
【請求項４】
前記ピストン（１４）は磁界を感知する材料から製造されていることを特徴とする請求項１記載のピストン（１４）。
【請求項５】
前記ピストン（１４）は金属材料から製造されていることを特徴とする請求項４記載のピストン（１４）。
【請求項６】
前記ピストン（１４）は往復機械で使用されることを特徴とする請求項１記載のピストン（１４）。
【請求項７】
前記往復機械は往復圧縮機（１２）であることを特徴とする請求項６記載のピストン（１４）。
【請求項８】
前記外部磁性要素（２０）は往復モータにより移動されることを特徴とする請求項１又は７記載のピストン（１４）。
【請求項９】
前記往復モータは空気圧式であることを特徴とする請求項８記載のピストン（１４）。
【請求項１０】
前記ピストン（１４）に中心動作ロッドが設けられていないことを特徴とする請求項８記載のピストン（１４）。
【請求項１１】
前記シリンダ（１６）は外部と接触するシールを有していないことを特徴とする請求項１又は７記載のピストン（１４）。
【請求項１２】
前記往復圧縮機（１２）は複動圧縮機であることを特徴とする請求項７記載のピストン（１４）。
【発明の詳細な説明】
【技術分野】
【０００１】
本発明は、シリンダ内で摺動自在である簡易ピストンに関する。
【背景技術】
【０００２】
従来の技術においては、シリンダ用の数多くの種類のピストン、例えば、往復圧縮機のような往復動型の機械で使用されるピストンなどが知られている。
【０００３】
シリンダ内の本質的に誘導される経路に沿って摺動するそのようなピストンは、通常、一般に中心に位置する少なくとも１本のロッドに装着されたピストン本体を具備する。
【０００４】
シリンダは一般にその２つのベースで閉鎖されているが、ピストン本体に運動を伝達できるようにシリンダから突出する軸を通すための開口部を有する。例えば、往復圧縮機の場合、ロッドは往復モータにより移動される。
【０００５】
シリンダ内部に入っている流体の漏れを防止し、逆に、外部からシリンダ内部への塵芥の侵入を防止するために、この開口部の周囲に機械的シールを設けなければならない。
【０００６】
機械的シールは、特に環境を汚染し、人体に有害である流体を使用する動作の場合に正確に管理され且つ良好な状態に保持されていなければならない要素である。
【発明の開示】
【発明が解決しようとする課題】
【０００７】
従って、本発明の目的は、上述の問題、特に、動作ロッドを持たず、それに伴って機械的シールを持たない、シリンダ内で摺動自在である簡易ピストンを提供するという問題を克服することである。
【０００８】
本発明の別の問題は、特に信頼性が高く、機能的であり且つ相対的に安価な、シリンダ内で摺動自在である簡易ピストンを提供することである。
【課題を解決するための手段】
【０００９】
本発明の上記の目的及びその他の目的は、シリンダ内で摺動自在である簡易ピストンによって実現される。
【００１０】
本発明によるシリンダ内で摺動自在である簡易ピストンの特徴及び利点は、添付の図面を参照して、限定的な意味を持たない例として提供される以下の実施例の説明により更に明確になるであろう。
【発明を実施するための最良の形態】
【００１１】
図１を参照すると、全体を図中符号１２で指示される往復圧縮機は、本発明によるシリンダ１６内で摺動自在である簡易ピストン１４を含む。
【００１２】
図示される実施例では、本発明に従って、往復圧縮機１２は複動圧縮機であり、ピストン１４は中心動作ロッドを持たない。
【００１３】
ピストン１４は金属材料から製造されており、非磁性材料から製造されたシリンダ１６内で摺動自在である。
【００１４】
シリンダ１６に沿って外側で摺動自在である、リングなどの外部磁性要素２０も設けられている。磁性要素２０は、例えば、図示されていない空気圧式の往復モータにより移動される。
【００１５】
本発明によるシリンダ１６内で摺動自在である簡易ピストン１４の動作は図を参照して以上説明したことから明らかであるが、以下に簡単に述べる。
【００１６】
運動は、磁性要素２０による、非磁性材料から成るシリンダ１６の外側からの磁気結合によってピストン１４に伝達される。
【００１７】
磁性要素２０はシリンダ１６の外側でシリンダ１６に沿って移動される。
【００１８】
磁性要素２０の磁界は、一般に金属材良又は磁界を感知する他の材料から製造されているピストン１４を移動させる。
【００１９】
外部と接触するシールが設けられていないため、ピストン１４を含めて構成された、本発明によるロッドなしの往復圧縮機は、危険なガス及び高圧が使用される用途に特に適している。
【００２０】
本発明によるピストン１４の信頼性は非常に高いので、このピストンはあらゆる種類の気体又は液体を使用する数多くの用途に適している。
【００２１】
本発明によるシリンダ内で摺動自在である簡易ピストンの特徴及びその利点は以上の説明から明確に理解されるであろう。
【００２２】
上述の利点を更に厳密且つ明確に定義するために、以下に締めくくりの見解及び所見を述べる。
【００２３】
第１に、本発明によるシリンダ内で摺動自在である簡易ピストンは汚染を招く又は有害であるプロセス流体が使用される用途で都合よく使用可能であるということに注意すべきである。
【００２４】
また、本発明によるシリンダ内で摺動自在である簡易ピストンは使用するのが簡単で、信頼性が高く、且つ従来の技術のピストンと比較して安価であるということも指摘される。
【００２５】
最後に、このように設計されたシリンダ内で摺動自在である簡易ピストンを全て本発明の範囲内で多様な方法で変形及び変更できることは明白である。更に、全ての構成要素を技術的に等価の要素と置き換えることも可能である。実際、使用される材料並びに形状及び寸法は、技術的必要条件に応じて自由に選択されることが可能である。
【００２６】
なお、特許請求の範囲に記載された符号は、理解容易のためであってなんら発明の技術的範囲を実施例に限縮するものではない。
【図面の簡単な説明】
【００２７】
【図１】本発明によるシリンダ内で摺動自在である簡易ピストンを含む往復圧縮機の横断面図。
【符号の説明】
【００２８】
１２…往復圧縮機、１４…簡易ピストン、１６…シリンダ、２０…外部磁性要素
【図１】
2004162713.tif 000003